(57)【要約】【課題】  撮像レンズで撮像した映像を液晶パネルより成るモニター画面で表示することができるようにすると共にこの液晶パネルのバックライトの光源よりの光を有効に利用することができるようにすることを目的とする。【解決手段】  略直方体の筐体１の一の主面に撮像レンズ２を有すると共にこの一の主面の対向面である他の主面に液晶パネル４より成るモニター画面を有し、この撮像レンズ２で撮影した映像をこのモニター画面に表示するようにした撮像装置において、このモニター画面用のバックライトの光源６の光の一部を導光部材８により一の主面に設けた発光部７に導き、この発光部７を発光するようにしたものである。【選択図】        図１
2005309243.tif 000002
【特許請求の範囲】
【請求項１】
略直方体の筐体の一の主面に撮像レンズを有すると共に前記一の主面の対向面である他の主面に液晶パネルより成るモニター画面を有し、
前記撮像レンズで撮像した映像を前記モニター画面に表示するようにした撮像装置において、
前記モニター画面用のバックライトの光源の光の一部を導光部材により前記一の主面に設けた発光部に導き、
前記発光部を発光するようにしたことを特徴とする撮像装置。
【請求項２】
請求項１記載の撮像装置において、
前記一の主面にストロボ発光部を設けると共に、該ストロボ発光部の近傍に前記発光部を配置したことを特徴とする撮像装置。
【請求項３】
請求項１又は２記載の撮像装置において、
前記導光部材のバックライトの光源側又は被写体側に移動可能な遮蔽部材を設けたことを特徴とする撮像装置。
【請求項４】
請求項３記載の撮像装置において、
前記遮蔽部材の移動は、マクロ切り替え部材と連動するようにしたことを特徴とする撮像装置。
【発明の詳細な説明】
【技術分野】
【０００１】
本発明はデジタルカメラ、電子カメラ等に適用して好適な撮像装置に関する。
【背景技術】
【０００２】
従来、デジタルカメラ等の電子カメラは略直方体の筐体の前面に撮像レンズを有すると共に、この前面の対向面である背面に液晶パネルより成るモニター画面を有し、この撮像レンズで撮像した映像をこのモニター画面に表示するようにしている。
【０００３】
一般にはデジタルカメラ等の電子カメラを用い、暗部撮影時においては、被写体に対して光を照射する必要があり、この被写体を照射する光源を液晶パネルのバックライトの光源の外に別途設けている。
【０００４】
ところで特許文献１には、ビデオカメラの側部に設けた液晶パネルの画面を被写体に向け、この液晶パネルを全白としてビデオライトとして使用するようにしたものが開示されている。
【０００５】
また特許文献２に、ＬＣＤ表示部の表示面（液晶パネル）に対して光を供給する第１の位置とカメラ部の画像撮影対象となる被写体に対して光を照射する第２の位置とのどちらか一方に変更可能に配置される光供給部（バックライトの光源）を具備するカメラが記載されている。
【特許文献１】特開平１０−１２６６５５号公報
【特許文献２】特開２００３−１１０９０４号公報
【発明の開示】
【発明が解決しようとする課題】
【０００６】
然しながら、この特許文献１及び２に記載されている発明によれば、被写体に光を照射して撮影しているときには液晶パネルより成るモニター画面で撮像レンズで撮像した映像を表示することができない不都合があった。
【０００７】
本発明は斯る点に鑑み、撮像レンズで撮像した映像を液晶パネルより成るモニター画面で表示することができるようにすると共に、この液晶パネルのバックライトの光源よりの光を有効に利用することができるようにすることを目的とする。
【課題を解決するための手段】
【０００８】
本発明撮像装置は、略直方体の筐体の一の主面に撮像レンズを有すると共に、この一の主面の対向面である他の主面に液晶パネルより成るモニター画面を有し、この撮像レンズで撮影した映像をこのモニター画面に表示するようにした撮像装置において、このモニター画面用のバックライトの光源の光の一部を導光部材によりこの一の主面に設けた発光部に導き、この発光部を発光するようにしたものである。
【発明の効果】
【０００９】
本発明によれば、液晶パネルより成るモニター画面用のバックライトの光源の光の一部を導光部材により一の主面に設けた発光部に導き、この発光部を発光するようにしたので、撮像レンズで撮像した映像を液晶パネルより成るモニター画面で表示できると共にこの液晶パネルのバックライトの光源の光を有効に利用することができる。
【発明を実施するための最良の形態】
【００１０】
以下、図１、図２を参照して、本発明撮像装置を実施するための最良の形態の例につき説明する。
【００１１】
図１、図２において、１は略直方体の電子カメラの筐体を示し、この電子カメラの筐体１の一の主面である前面の所定位置に被写体を撮像する撮像レンズ２を設け、この電子カメラの筐体１内の一側にこの撮像レンズ２に関連してカメラ部３を設ける。このカメラ部３は従来の電子カメラと同様に構成したものである。
【００１２】
この電子カメラの筐体１のこの前面の対向面である他の主面即ち背面に所定大きさの液晶パネル４より成るモニター画面を設け、この筐体１内のこの液晶パネル４の前面側にアクリル等の透明もしくは半透明な導光材料より成る導光板５を設ける。この場合筐体１を薄型とするためこの液晶パネル４を筐体１の他側に配し、液晶パネル４部とカメラ部３とが、前面及び背面間で重ならないようにする。
【００１３】
この導光板５は液晶パネル４と対向する面とは反対面を傾斜面とし、この傾斜面を反射面とする如くしたものである。
【００１４】
この導光板５の肉厚側端面に対向し、この液晶パネル４とカメラ部３との間に従来周知の如く例えば３個の白色発光ダイオード６ａより成る光源６を配し、この光源６と導光板５とで液晶パネル４のバックライトを構成する如くする。この場合、光源６の側面側の光が導光板５を通って液晶パネル４を照射する。
【００１５】
本例においては、この電子カメラの筐体１の撮像レンズ２の存する前面に発光部（例えば窓部）７を設けると共にこの発光部７と光源６との間にアクリル等の透明もしくは半透明な導光部材８を設け、この電子カメラの筐体１の前面の発光部７が光源６の前面側の光により発光する如くする。この電子カメラは、その他は従来の電子カメラと同様に構成する。
【００１６】
本例は上述の如く構成されているので、光源６と導光板５とで液晶パネル４のバックライトを構成し、撮像レンズ２により撮像した映像をこの液晶パネル４より成るモニター画面に表示することができる。
【００１７】
また本例においてはこのバックライトの光源６が発光したときは、この光源６の前面側の光が導光部材８を介して、この電子カメラの筐体１の前面に設けた発光部７が発光するので、この発光部７の発光によりこの撮像時に被写体への照射が行われ、このバックライトの光源６の光を有効に利用することができる。
【００１８】
図３〜図１３は本発明を実施するための最良の形態の他の例を示す。この図３〜図１３につき説明するに図１及び図２に対応する部分には同一符号を付し、その詳細説明は省略する。
図３、図４例は、撮像レンズ２、この撮像レンズ２に関連するカメラ部３と液晶パネル４及び導光板５より成るモニター画面部を筐体１の前面及び背面間に配するようにしたものである。
【００１９】
また白色発光ダイオードより成る光源６側面側の光を導光板５の肉厚端面より導光板５に照射すると共にこの光源６よりの前面側の光を導光部材８を介して筐体１の前面の発光部７に導光してこの発光部７を発光するようにしたものである。その他は図１、図２と同様に構成する。
【００２０】
この図３及び図４例においても図１及び図２例と同様の作用効果が得られることは容易に理解できよう。
【００２１】
図５例は、図３、図４例において、アクリル等の透明もしくは半透明の導光部材より成る導光板５と導光部材８とを一体成形した例を示す。即ち、導光板５と導光部材８とを一体成形しても良いことは勿論である。
【００２２】
図６、図７例は図３、図４例において導光部材８を曲がり角を２ヶ所設けた形状のプリズムとし、発光部７を光源６の位置に関係なく前面の任意の位置に配することができるようにしたものである。この図６及び図７例において、その他は図３及び図４例と同様に構成したものである。
この図６、図７例においても、図１、図２例と同様の作用効果が得られることは容易に理解できよう。
【００２３】
図８、図９例は図１、図２例において、電子カメラの筐体１の前面に配した発光部７の前面側に即ち被写体側に移動可能な遮蔽部材９を設ける。この遮蔽部材９は手動もしくは電動でこの発光部７に対して開閉自在にする如くする。その他は、図１及び図２と同様に構成する。
【００２４】
この遮蔽部材９により発光部７を遮蔽した状態では、この発光部７から光は被写体側に照射されない。従って、被写体に光を照射しないで撮影するときにはこの遮蔽部材９により発光部７を遮蔽する如くする。
【００２５】
また暗い場所等で光を照射して撮影したい場合はこの遮蔽部材９を移動させ、遮蔽状態を解除し、被写体にこの発光部７より光を照射するようにする。
【００２６】
この遮蔽部材９を電動で移動できるようにしたときには図１４のフローチャートに示す如く電気的に制御することができる。
【００２７】
即ち、まず撮影する場所が明るい場所か暗い場所かを判断し（ステップＳ１）、明るい場所であるときには遮蔽部材９により発光部７を遮蔽状態（被写体への照射なし）とし（ステップＳ２）、撮影する（ステップＳ３）。
【００２８】
また暗い場所であるときには遮蔽部材９を移動して発光部７の遮蔽状態を解除し、この発光部７よりの光が被写体に照射する如くし（ステップＳ４）、その後撮影する（ステップＳ３）。
【００２９】
撮影が終わったときは撮影を続行するかどうかを判断し（ステップＳ５）、撮影を続行するときには、ステップＳ１に戻り、撮影を続行しないときには終了する。
【００３０】
また、被写体に光を照射して撮影する場合には接写撮影（マクロ撮影）のときが多い。この遮蔽部材９の移動を撮像レンズ２のマクロ切り替えと電気的、もしくは機械的に連動させることによりマクロ撮影になったとき、この遮蔽部材９を遮蔽状態から解除することにより自動的に被写体を照射することができる。
【００３１】
このフローチャートを図１５に示す。即ち、撮影モードが通常撮影モードかマクロ撮影モードかを判断し（ステップＳ１０）、撮影モードが通常撮影モードのときは、遮蔽部材９により発光部７を遮蔽状態（被写体への照射なし）とし（ステップＳ１１）、撮影する（ステップＳ１２）。
【００３２】
マクロ撮影モードのときは、明るい場所か暗い場所かを判断し（ステップＳ１３）、明るい場所であるときには、ステップＳ１１に移行する。
【００３３】
また、暗い場所であるときには遮蔽部材９を移動して発光部７の遮蔽状態を解除し、この発光部７よりの光が被写体に照射する如くし（ステップＳ１４）、その後撮影する（ステップＳ１２）。
【００３４】
撮影が終わったときは撮影を続行するかどうかを判断し（ステップＳ１５）、撮影を続行するときには、ステップＳ１０に戻り、撮影を続行しないときには終了する。
【００３５】
また斯る図８、図９の例においても図１、図２の例と同様の作用効果が得られることは容易に理解できよう。
【００３６】
図１０は図３、図４例の発光部７の前面側に図８、図９同様に移動可能に遮蔽部材９を設けた例を示す。また図１１はこの遮蔽部材９ａを光源６と導光部材８との間に移動可能に配した例を示す。この図１０及び図１１の例においても、図８、図９の例と同様の作用効果が得られることは容易に理解できよう。
【００３７】
図１２及び図１３は図３、図４例同様に構成した電子カメラの筐体１の前面の所定の位置にストロボ発光部１０を設けると共にこのストロボ発光部１０の近傍、本例では下側に発光部７を配置するようにしたものである。この図１２、図１３の光源６として冷陰極線管（蛍光灯）を使用した例を示す。その他は図３、図４と同様に構成する。
【００３８】
斯る、図１２、図１３例においては暗い場所で撮影するときにおいても発光部７が発光しているので被写体（人物）側から電子カメラのある位置がわかると共にこの発光部７により人の眼のひとみがしぼられるのでストロボ発光部を発光させて撮影したときにも所謂赤目とならない利益がある。
【００３９】
また、この図１２、図１３例においても、図１、図２例と同様の作用効果が得られることは容易に理解できよう。
【００４０】
尚、上述例は本発明を電子カメラに適用した例につき述べたが、本発明を液晶パネルより成るモニター画面を設けるようにしたその他の撮像装置にも適用できる。
【００４１】
また、本発明は上述例に限ることなく、本発明の要旨を逸脱することなくその他種々の構成が採り得ることは勿論である。
【図面の簡単な説明】
【００４２】
【図１】本発明撮像装置の構成例を透視するようにした斜視図である。
【図２】図１の構成例を透視するようにした上面図である。
【図３】本発明撮影装置の構成の他の例を透視するようにした斜視図である。
【図４】図３の要部を透視するようにした上面図である。
【図５】本発明撮影装置の構成の他の例の要部を透視するようにした上面図である。
【図６】本発明撮像装置の構成の他の例を透視するようにした斜視図である。
【図７】図６の構成例を透視するようにした上面図である。
【図８】本発明撮影装置の構成の他の例を透視するようにした斜視図である。
【図９】図８の構成例を透視するようにした上面図である。
【図１０】本発明撮像装置の構成の他の例を透視するようにした斜視図である。
【図１１】本発明撮像装置の構成の他の例の要部を透視するようにした上面図である。
【図１２】本発明撮像装置の構成の他の例を透視するようにした斜視図である。
【図１３】図１２の構成例を透視するようにした上面図である。
【図１４】図８、図９例の説明に供するフローチャートである。
【図１５】図８、図９例の説明に供するフローチャートである。
【符号の説明】
【００４３】
１‥‥電子カメラの筐体、２‥‥撮像レンズ、３‥‥カメラ部、４‥‥液晶パネル、５‥‥導光板、６‥‥光源、７‥‥発光部、８‥‥導光部材、９‥‥遮蔽部材、１０‥‥ストロボ発光部
【図１】
2005309243.tif 000003
【図２】
2005309243.tif 000004
【図３】
2005309243.tif 000005
【図４】
2005309243.tif 000006
【図５】
2005309243.tif 000007
【図６】
2005309243.tif 000008
【図７】
2005309243.tif 000009
【図８】
2005309243.tif 000010
【図９】
2005309243.tif 000011
【図１０】
2005309243.tif 000012
【図１１】
2005309243.tif 000013
【図１２】
2005309243.tif 000014
【図１３】
2005309243.tif 000015
【図１４】
2005309243.tif 000016
【図１５】
2005309243.tif 000017